(57)【要約】【課題】跳上げ式机の脚フレームのベースの後端部の高さを低くして、人が机の手前のスペースに出入りする際にベース後端部に足が掛からないようにすることにある。【解決手段】甲板１と、左右の脚２を貫材３で連結されるとともにそれら左右の脚２の下端部に前後方向へ延在するベース４を設けられた脚フレーム５と、その脚フレーム５に設けられ、甲板１をその左右方向へ延在する軸線Ｂ周りに回動可能に支持する甲板支持部６と、甲板１の回動限位置として略水平な使用位置と後端部が跳ね上げられた跳上げ位置とを特定するストッパ部７と、ベース４の後端部に設けられた滑り止め８と、上下方向へ延在する回動軸線Ｃ周りに首振り可能にベース４の前端部に設けられた前キャスタ９と、前キャスタ９と滑り止め８との下端同士を結ぶ直線Ｌよりも下方へ突出する使用位置とその直線Ｌよりも上方の引込み位置との間で出入り可能にベース４の中間部に設けられた後キャスタ１０と、を具えてなる跳上げ式机である。【選択図】　　　　図１
2004089681.tif 000002
【特許請求の範囲】
【請求項１】
甲板と、
左右の脚を貫材で連結されるとともにそれら左右の脚の下端部に前後方向へ延在するベースを設けられた脚フレームと、
前記脚フレームに設けられ、前記甲板をその左右方向へ延在する軸線周りに回動可能に支持する甲板支持部と、
前記甲板の回動限位置として略水平な使用位置と後端部が跳ね上げられた跳上げ位置とを特定するストッパ部と、
前記ベースの後端部に設けられた滑り止めと、
上下方向へ延在する回動軸線周りに首振り可能に前記ベースの前端部に設けられた前キャスタと、
前記前キャスタと前記滑り止めとの下端同士を結ぶ直線よりも下方へ突出する使用位置とその直線よりも上方の引込み位置との間で出入り可能に前記ベースの中間部に設けられた後キャスタと、
を具えてなる、跳上げ式机。
【請求項２】
前記前キャスタの回動軸線は、前記滑り止めが支持面に着いた状態では後方へ傾斜して上下方向へ延在するものであることを特徴とする、請求項１記載の跳上げ式机。
【請求項３】
前記甲板の前記跳上げ位置への回動で前記後キャスタが前記使用位置に突出するとともに、前記甲板の前記使用位置への回動で前記後キャスタが前記引込み位置に引っ込むように前記甲板と前記後キャスタとを連動させる伝動機構を具えることを特徴とする、請求項１または２記載の跳上げ式机。
【請求項４】
前記伝動機構はリンク機構であることを特徴とする、請求項１から３までの何れか記載の跳上げ式机。
【請求項５】
前記甲板を前記使用位置と前記跳上げ位置とに解除可能に掛止するロック機構を具えることを特徴とする、請求項１から４までの何れか記載の跳上げ式机。
【請求項６】
前記甲板と前記脚フレームとにリンク部材を介して連結されて前記甲板と連動する幕板を具えることを特徴とする、請求項１から５までの何れか記載の跳上げ式机。
【請求項７】
前記ベースの左右方向へ延在する回動軸線周りに上下方向揺動可能に支持部を前記ベースに支持され、前記伝動機構が前記後キャスタを前記引込み位置に引っ込めるのと連動して解放されて前記支持部の前方斜め下方の制動面が支持面に着くことで前記ベースの前方移動を規制し、前記伝動機構が前記後キャスタを前記使用位置に突出させるのと連動して吊り上げられて前記制動面が支持面から離間することで前記ベースの前方移動を許容する前方滑り止めを具えることを特徴とする、請求項３から６までの何れか記載の跳上げ式机。
【発明の詳細な説明】
【０００１】
【発明の属する技術分野】
この発明は、キャスタを用いて移動させ得るとともに、不使用時に甲板の後端部を跳ね上げた状態で前後に複数台重ね合わせて整理し得る、跳上げ式机に関するものである。
【０００２】
【従来の技術】
従来の上述の如き跳上げ式机としては、甲板と、左右の脚を貫材で連結されるとともにそれら左右の脚の下端部に前後方向へ延在するベースを設けられた脚フレームと、前記脚フレームに設けられ、前記甲板をその左右方向へ延在する軸線周りに回動可能に支持する甲板支持部と、前記甲板の回動限位置として略水平な使用位置と後端部が跳ね上げられた跳上げ位置とを特定するストッパ部と、床面等の支持面に対し垂直に上下方向へ延在する回動軸線周りに首振り可能に前記ベースの前端部の下面に設けられた前キャスタと、同じく支持面に対し垂直に上下方向へ延在する回動軸線周りに首振り可能に前記ベースの後端部の下面に設けられた後キャスタと、前記甲板が前記使用位置に回動されるのと連動して前記左右の前キャスタの車輪の回転および首振りを規制するブレーキ機構と、を具えてなるものが知られている。
【０００３】
【発明が解決しようとする課題】
ところで、かかる従来の跳上げ式机について本願発明者が使用状態を調べた結果、後キャスタが脚フレームのベース後端部の下面に設けられていることから、必然的にベース後端部の高さが高くなっているため、人が机の手前のスペースに出入りする際にその高いベース後端部に足が掛かって出入りしにくいという不都合があることが判明した。
【０００４】
また、机を床面等に固定するためにブレーキ機構が左右の前キャスタの車輪の回転および首振りを規制した状態でも、左右の後キャスタが、床面等の支持面に対し垂直に上下方向へ延在する回動軸線周りに自由に首を振って向きを変えてしまうため、机を固定しにくいという不都合もあることが判明した。
【０００５】
【課題を解決するための手段およびその作用・効果】
この発明は、上記課題を有利に解決した跳上げ式机を提供することを目的とするものであり、この発明の跳上げ式机は、甲板と、左右の脚を貫材で連結されるとともにそれら左右の脚の下端部に前後方向へ延在するベースを設けられた脚フレームと、前記脚フレームに設けられ、前記甲板をその左右方向へ延在する軸線周りに回動可能に支持する甲板支持部と、前記甲板の回動限位置として略水平な使用位置と後端部が跳ね上げられた跳上げ位置とを特定するストッパ部と、前記ベースの後端部に設けられた滑り止めと、上下方向へ延在する回動軸線周りに首振り可能に前記ベースの前端部に設けられた前キャスタと、前記前キャスタと前記滑り止めとの下端同士を結ぶ直線よりも下方へ突出する使用位置とその直線よりも上方の引込み位置との間で出入り可能に前記ベースの中間部に設けられた後キャスタと、を具えてなるものである。
【０００６】
かかる跳上げ式机にあっては、左右の脚を貫材で連結されるとともにそれらの脚の下端部に前後方向へ延在するベースを設けられた脚フレームに設けられ、甲板をその左右方向へ延在する軸線周りに回動可能に支持する甲板支持部による支持下で、甲板をストッパ部により使用位置に位置させるとともに、後キャスタを引込み位置に引っ込ませて、脚フレームのベースの後端部に設けられた滑り止めを床面等の支持面に着けて机を固定することで、当該机が使用可能となり、またその甲板支持部による支持下で、甲板の後端部を跳上げ回動させてストッパ部により甲板を跳上げ位置に位置させるとともに、後キャスタを使用位置に突出させて、脚フレームのベースの後端部に設けられた滑り止めを床面等の支持面から浮かせることで、前後のキャスタの同時使用による机の移動が可能となって、当該机を前後に複数台重ね合わせて整理収納することが可能となる。
【０００７】
しかもこの跳上げ式机にあっては、後キャスタが、ベースの後端部でなく中間部に出入り可能に設けられていることから、脚フレームのベースの後端部の下面に後キャスタを設ける必要がない。
【０００８】
従って、この発明の跳上げ式机によれば、脚フレームのベースの後端部の高さを従来よりも大幅に低くすることができ、これにより、人が机の手前のスペースに出入りする際にそのベース後端部に足が掛かるのを防止し得て、人の出入りを容易ならしめることができる。
【０００９】
なお、この発明の跳上げ式机においては、前記前キャスタの回動軸線が、前記滑り止めが支持面に着いた状態では後方へ傾斜して上下方向へ延在するものであってもよく、このようにすれば、脚フレームのベースの後端部に設けられた滑り止めを床面等の支持面に着けて机を固定する際に、前キャスタの回動軸線が後方へ傾斜して上下方向へ延在することから、前キャスタの向きが、ベースの前端部が最も低くなる向きで安定し、他の向きへの前キャスタの首振りが規制されるので、当該机の使用時に、机を容易に固定することができる。そして、脚フレームのベースの中間部に設けられた後キャスタを突出させて滑り止めを床面等の支持面から浮かせ、前後のキャスタを使用して机を移動させる際には、前キャスタの回動軸線の後方への傾斜が減り、好ましくはその回動軸線が直立することから、前キャスタの首振りが自由になり、前後のキャスタを使用して机を容易に移動させることができる。
【００１０】
また、この発明の跳上げ式机においては、前記甲板の前記跳上げ位置への回動で前記後キャスタが前記使用位置に突出するとともに、前記甲板の前記使用位置への回動で前記後キャスタが前記引込み位置に引っ込むように前記甲板と前記後キャスタとを連動させる伝動機構を具えていてもよく、このようにすれば、甲板を跳上げ位置と使用位置との間で回動させるだけで後キャスタを自動的に出入りさせることができるので、後キャスタの出し入れの手間を省くことができる。
【００１１】
さらに、この発明の跳上げ式机においては、前記伝動機構がリンク機構であってもよく、このようにすれば、安価且つ確実に甲板と後キャスタとを連動させることができる。
【００１２】
さらに、この発明の跳上げ式机においては、前記甲板を前記使用位置と前記跳上げ位置とに解除可能に掛止するロック機構を具えていてもよく、このようにすれば、机の使用時に甲板を安定させることができるとともに、机の移動時に甲板を容易に跳上げ位置に保持することができる。
【００１３】
さらに、この発明の跳上げ式机においては、前記甲板と前記脚フレームとにリンク部材を介して連結されて前記甲板と連動する幕板を具えていてもよく、このようにすれば、幕板が甲板の回動と連動するので、幕板に当接させずに甲板を大きく回動させることができる。
【００１４】
さらに、この発明の跳上げ式机においては、前記ベースの左右方向へ延在する回動軸線周りに上下方向揺動可能に支持部を前記ベースに支持され、前記伝動機構が前記後キャスタを前記引込み位置に引っ込めるのと連動して解放されて前記支持部の前方斜め下方の制動面が支持面に着くことで前記ベースの前方移動を規制し、前記伝動機構が前記後キャスタを前記使用位置に突出させるのと連動して吊り上げられて前記制動面が支持面から離間することで前記ベースの前方移動を許容する前方滑り止めを具えていてもよい。
【００１５】
上記の構成にあっては、甲板を使用位置へ回動させると、伝動機構が後キャスタを引込み位置に引っ込めるのと連動して前方滑り止めが解放されてその制動面が床面等の支持面に着くので、この前方滑り止めの制動面が床面等の支持面で制動されている状態で、甲板ひいてはベースを前方移動させる力が支持部に加わると、支持部と制動面との間がモーメントの腕となって制動面が押し下げられ、制動面が床面等の支持面にさらに強く密接して制動力を増し、ベースの前方移動を効果的に規制する。また甲板を跳上げ位置へ回動させると、伝動機構が後キャスタを使用位置に突出させるのと連動して前方滑り止めが吊り上げられてその制動面が床面等の支持面から離間することでベースの前方移動を許容する。
【００１６】
従って、この構成によれば、机の使用時に甲板を使用位置へ回動させると、脚フレームのベースの後端部に設けられた滑り止めが床面等の支持面に着いて制動するのと併せて、ベースの中間部に支持された前方滑り止めの制動面がその床面等の支持面に強く密接してベースの前方移動を規制するので、机の使用中に机が前方へずれるのを確実に防止することができる。
【００１７】
【発明の実施の形態】
以下に、この発明の実施の形態を実施例によって、図面に基づき詳細に説明する。ここに、図１は、この発明の跳上げ式机の一実施例の図２のＡ−Ａ線に沿う拡大断面図、図２は、甲板が使用位置にある状態でのその実施例の跳上げ式机の正面図、図３は、甲板が使用位置にある状態でのその実施例の跳上げ式机の平面図、図４は、甲板が使用位置にある状態でのその実施例の跳上げ式机の側面図、図５は、甲板が跳上げ位置にある状態でのその実施例の跳上げ式机の、図１と同じ断面位置での断面図、図６は、上記実施例の跳上げ式机の重ね合わせ整理時の状態を示す側面図であり、図中符号Ｆは、上記実施例の跳上げ式机を支持する支持面としての床面を示す。
【００１８】
この実施例の跳上げ式机は、複数人が並んで使用できるタイプのもので、甲板１と、左右の脚２を貫材３で連結されるとともにそれら左右の脚２の下端部に前後方向へ延在するベース４を設けられた脚フレーム５と、その脚フレーム５の貫材３の左右端部にそれぞれ二枚ずつ並べて設けられ、甲板１をその左右方向へ延在する軸線Ｂ周りに回動可能に支持する甲板支持部としての略半円状の甲板支持板６と、甲板１の回動限位置として図１〜４に示す略水平な使用位置と図５，６に示す後端部が跳ね上げられた跳上げ位置とを特定するストッパ部７と、ベース４の後端部の下面に取り付けられた樹脂製の滑り止め８と、上下方向へ延在する回動軸線Ｃ周りに首振り可能にベース４の前端部に設けられた通常のキャスタからなる前キャスタ９と、図５に示すようにその前キャスタ９と上記滑り止め８との下端同士を結ぶ直線Ｌよりも下方へ突出する使用位置と、その直線Ｌよりも上方の、図１に示す引込み位置との間で出入り可能にベース４の中間部に設けられたこれも通常のキャスタからなる後キャスタ１０と、を具えている。
【００１９】
ここで、前キャスタ９の上記回動軸線Ｃは、図１に示すように滑り止め８が床面Ｆに着いた状態では、床面Ｆに垂直な直線Ｖに対して後方へ所定角度θだけ傾斜して上下方向へ延在しており、これにより、図５に示すように後キャスタ１０が使用位置に突出して前キャスタ９と上記滑り止め８との下端同士を結ぶ直線Ｌが床面Ｆに対し上記所定角度θだけ傾斜すると、床面Ｆに垂直に上下方向へ延在する状態となる。
【００２０】
またここで、甲板１の左右端部のそれぞれの下面には、下向きに開いたコ字状断面の鋼板製のブラケット１１が甲板１の前後方向へ延在するように固定されるとともに、そのブラケット１１を下方から覆うように樹脂製のカバー１２が固定されており、このカバー１２の前後方向中間部には、ブラケット１１の内側に上記二枚並んだ甲板支持板６を挿入するためおよび、ブラケット１１の前後方向中間部の下端面１１ａを外部に露出させて貫材３に対し当接可能とするためのスリットが形成されている。そして左右のブラケット１１のそれぞれの前後方向中間部には、ブラケット１１と上記二枚並んだ甲板支持板６とを左右方向に貫通する支持軸１３が、ブラケット１１に対しては嵌着固定され、甲板支持板６に対して回動可能なように設けられている。これにより甲板支持板６は、上述のように甲板１を、支持軸１３の中心を通る上記軸線Ｂ周りに回動可能に支持している。
【００２１】
さらにここで、上記左右のブラケット１１のそれぞれの前後方向中間部には、レバー１４の、カバー１２の側部から外部に突出して後方に曲がった基軸と、ブラケット１１の内側に配置された揺動部材１５の中央部の支持軸とがそれぞれ揺動可能に支持され、レバー１４の基軸の、ブラケット１１の内側の部分にはクランク１６の基部が固着され、そのクランク１６の先端部には連結軸１７が設けられ、その連結軸１７は揺動部材１５の後端部（図１では右端部）の孔に遊嵌されてクランク１６と揺動部材１５とを連結し、揺動部材１５の中央部の支持軸にはその揺動部材１５を図１では反時計方向に常時付勢する図示しないスプリングが嵌挿されている。そして揺動部材１５の前端部にはロックピン１８が固設され、その一方、各甲板支持板６の外周部分には、二カ所の凹部６ａ，６ｂと、軸線Ｂに対し半径方向外方に突出した当接部６ｃとが形成され、これにより、上記ストッパ部７と、ロック機構１９とが構成されている。なお、上記左右のブラケット１１に設けられたロック機構１９は、揺動部材１５の中央部の支持軸同士を連結されて、互いに連動するようにされている。
【００２２】
上記ストッパ部７にあっては、左右両側のブラケット１１の前後方向中間部の下端面１１ａが貫材３に当接することで、甲板１の一方の回動限位置として図１〜４に示す略水平な使用位置を特定し、また左右両側のブラケット１１の内側のロックピン１８が甲板支持板６の外周部分の当接部６ｃに当接することで、甲板１の他方の回動限位置として図５，６に示す後端部が跳ね上げられた跳上げ位置を特定する。
【００２３】
また、上記ロック機構１９にあっては、何れか一方または両方のレバー１４を甲板１へ向けて例えば手で動かすと、左右両側のロック機構１９のクランク１６の先端部の連結軸１７が揺動部材１５の後端部を甲板１から離間する方向へ押して動かし、これにより揺動部材１５がその中央部の支持軸周りに、上記スプリングに抗して図では時計方向に揺動して、揺動部材１５の前端部のロックピン１８が甲板支持板６の外周部分の凹部６ａまたは６ｂから外れ、甲板１が上記軸線Ｂ周りに回動可能となる。そしてレバー１４の後端部を解放すると、上記スプリングの弾性力で左右両側のロック機構１９の揺動部材１５がその中央部の支持軸周りに、図では反時計方向に揺動して、揺動部材１５の前端部のロックピン１８が甲板支持板６の外周部分の凹部６ａまたは６ｂに嵌合可能となり、その状態で甲板１を図１に示す使用位置または図５に示す跳上げ位置に回動させると、ロックピン１８が甲板支持板６の外周部分の凹部６ａまたは６ｂに嵌合して、甲板１がそれらの位置に掛止される。
【００２４】
さらにこの実施例の跳上げ式机は、甲板１と後キャスタ１０とを連動させる伝動機構としてのリンク機構２０を具えており、ここにおけるリンク機構２０は、上記左右の脚２の内部にそれぞれ挿通された上記左右の支持軸１３の先端部にクランク２１の基部が固着され、その一方、左右の脚２の下端部に設けられたベース４内に、後端部（図１では右方端部）に上記後キャスタ１０を首振り可能に支持する支持アーム２２の前端部の下部をピン２３を介して揺動可能に支持するブラケット２４が固設され、上記支持アーム２２の前端部の上部に、ピン２５を介してリンク部材２６の後端部が連結され、そのリンク部材２６の前端部に設けられた連結軸２７が、ブラケット２４に上下方向へ延在するように形成されたガイド長孔２４ａ内に摺動可能に嵌挿されるとともに、連結ロッド２８を介して、上記クランク２１の先端部に設けられたピン２９に連結されて構成されている。
【００２５】
このリンク機構２０にあっては、甲板１が図５に示すように跳上げ位置へ回動すると、ブラケット１１に嵌着固定された支持軸１３と一緒にクランク２１が反時計方向へ回動して連結ロッド２８を介し連結軸２７をガイド長孔２４ａの案内下で引き上げ、これによりリンク部材２６がピン２５を介して支持アーム２２の前端部の上部を後方へ押して支持アーム２２を時計方向へ揺動させ、後キャスタ１０を上記使用位置に突出させる。また、甲板１が図１に示すように使用位置へ回動すると、ブラケット１１に嵌着固定された支持軸１３と一緒にクランク２１が時計方向へ回動して連結ロッド２８を介し連結軸２７をガイド長孔２４ａの案内下で押し下げ、これによりリンク部材２６がピン２５を介して支持アーム２２の前端部の上部を前方へ引いて支持アーム２２を反時計方向へ揺動させ、後キャスタ１０を上記引込み位置に引っ込ませる。
【００２６】
さらにこの実施例の跳上げ式机は、甲板１の左右両端部のブラケット１１と脚フレーム５の左右両側の脚２とにそれぞれリンク部材３０，３１を介して揺動可能に連結されて甲板１と連動するアルミニウム合金製の波板状の幕板３２を具えている。
【００２７】
かかる実施例の跳上げ式机にあっては、図１〜４に示すように、左右の脚２を貫材３で連結されるとともにそれらの脚２の下端部に前後方向へ延在するベース４を設けられた脚フレーム５にさらに設けられた、甲板１をその左右方向へ延在する軸線Ｂ周りに回動可能に支持する甲板支持板６による支持下で、甲板１をストッパ部７の、ブラケット１１の下端面１１ａと貫材３との当接により使用位置に位置させるとともに、後キャスタ１０を引込み位置に引っ込ませて、脚フレーム５のベース４の後端部に設けられた滑り止め８を床面Ｆに着けて机を固定することで、当該机が使用可能となり、また図５に示すように、甲板支持板６による支持下で甲板１の後端部を跳上げ回動させて、甲板１をストッパ部７の、ロックピン１８と甲板支持板６の当接部６ｃとの当接により跳上げ位置に位置させるとともに、後キャスタ１０を使用位置に突出させて、脚フレーム５のベース４の後端部に設けられた滑り止め８を床面Ｆから浮かせることで、前後のキャスタ９，１０の同時使用による机の移動が可能となって、図６に示すように当該机を前後に複数台重ね合わせて整理収納することが可能となる。
【００２８】
しかもこの跳上げ式机にあっては、後キャスタ１０が、ベース４の後端部でなく中間部に出入り可能に設けられていることから、脚フレームのベース４の後端部の下面に後キャスタを設ける必要がない。
【００２９】
従って、この実施例の跳上げ式机によれば、脚フレーム５のベース４の後端部の高さを従来よりも大幅に低くすることができ、これにより、人が机の手前のスペースに出入りする際にそのベース後端部に足が掛かるのを防止し得て、人の出入りを容易ならしめることができる。
【００３０】
さらにこの実施例の跳上げ式机によれば、前キャスタ９の回動軸線Ｃが、滑り止め８が床面Ｆに着いた状態では後方へ傾斜して上下方向へ延在しているため、脚フレーム５のベース４の後端部に設けられた滑り止め８を床面Ｆに着けて机を固定する際に、前キャスタ９の回動軸線Ｃが後方へ傾斜して上下方向へ延在することから、前キャスタ９の向きが、ベース４の前端部が最も低くなる向きで安定し、他の向きへの前キャスタ９の首振りが規制されるので、当該机の使用時に、机を容易に固定することができる。そして脚フレーム５のベース４の中間部に設けられた後キャスタ１０を突出させて滑り止め８を床面Ｆから浮かせ、前後のキャスタ９，１０を使用して机を移動させる際に、前キャスタ９の回動軸線Ｃが直立することから、前キャスタ９の首振りが自由になり、前後のキャスタ９，１０を使用して机を容易に移動させることができる。
【００３１】
またこの実施例の跳上げ式机によれば、甲板１の跳上げ位置への回動で後キャスタ１０が使用位置に突出するとともに、甲板１の使用位置への回動で後キャスタ１０が引込み位置に引っ込むように甲板１と後キャスタ１０とを連動させる、伝動機構としてのリンク機構２０を具えていていることから、甲板１を跳上げ位置と使用位置との間で回動させるだけで後キャスタ１０を自動的に出入りさせることができるので、後キャスタ１０の出し入れの手間を省くことができる。
【００３２】
しかもこの実施例の跳上げ式机では、上記のように伝動機構をリンク機構２０としているので、安価且つ確実に甲板１と後キャスタ１０とを連動させることができる。
【００３３】
さらにこの実施例の跳上げ式机によれば、甲板１を使用位置と跳上げ位置とに解除可能に掛止するロック機構１９を具えていることから、机の使用時に甲板１を安定させることができるとともに、机の移動時に甲板１を容易に跳上げ位置に保持することができる。
【００３４】
さらにこの実施例の跳上げ式机によれば、甲板１と脚フレーム５とにリンク部材３０，３１を介して連結されて甲板１と連動する幕板３２を具えていることから、幕板３２が甲板１の回動と連動するので、幕板３２に当接させずに甲板１を大きく回動させることができる。
【００３５】
図７は、この発明の跳上げ式机の他の一実施例の、先の実施例の図１に対応する拡大断面図、図８（ａ），（ｂ）は、その実施例の跳上げ式机が具える前方滑り止めを示す斜視図および側面図、図９は、その実施例の跳上げ式机の、先の実施例の図５に対応する断面図であり、図中先の実施例と同様の部分はそれと同一の符号にて示す。
【００３６】
この実施例の跳上げ式机は、前方滑り止め４０を具えている点のみ先の実施例と相違し、他の部分は先の実施例と同一構成とされている。ここで、前方滑り止め４０は、コ字状に曲げ加工された厚板鋼板製で後端部の支持部４１ａに支持孔４１ｂを形成されるとともに前部に連結軸２７を遊挿される駆動孔４１ｃを形成された揺動脚４１と、その揺動脚４１の前部の下部に固着されて下面を制動面４２ａとされた樹脂製の脚先４２とからなり、その支持孔４１ｂに挿通されたピン２３によって、ベース４の左右方向へ延在する回動軸線周りに上下方向揺動可能に支持部４１ａをベース４に支持されている。
【００３７】
そして、伝動機構としてのリンク機構２０の連結軸２７が、上記のように揺動脚４１の前部の駆動孔４１ｃに遊挿されているので、リンク機構２０が連結軸２７を押し下げて後キャスタ１０を引込み位置に引っ込めると、連結軸２７が図８（ｂ）中実線で示すように駆動孔４１ｃの上部から下方に離れて、後キャスタ１０の引っ込みと連動して前方滑り止め４０が解放されて自重で落下揺動して、揺動脚４１の支持部４１ａの前方斜め下方の脚先４２の制動面４２ａが床面Ｆ等の支持面に着くことでベース４の前方移動を規制し、またリンク機構２０が連結軸２７を引き上げて後キャスタ１０を使用位置に突出させると、連結軸２７が図８（ｂ）中破線で示すように駆動孔４１ｃの上部に当接して、後キャスタ１０の突き出しと連動して前方滑り止め４０が吊り上げられて、脚先４２の制動面４２ａが床面Ｆ等の支持面から離間することでベース４の前方移動を許容する。
【００３８】
それゆえこの実施例の跳上げ式机にあっては、図７に示すように、甲板１を使用位置へ回動させると、リンク機構２０が後キャスタ１０を引込み位置に引っ込めるのと連動して前方滑り止め４０が解放されてその制動面４２ａが床面Ｆ等の支持面に着くので、この前方滑り止め４０の制動面４２ａが支持面で制動されている状態で、甲板１ひいてはベース４を前方移動させる力Ｐが支持部４１ａに加わると、支持部４１ａと制動面４２ａとの間がモーメントの腕となって制動面４２ａが押し下げられ、制動面４２ａが床面Ｆ等の支持面にさらに強く密接して制動力を増し、ベース４の前方移動を効果的に規制する。また図９に示すように、甲板１を跳上げ位置へ回動させると、リンク機構２０が後キャスタ１０を使用位置に突出させるのと連動して前方滑り止め４０が吊り上げられてその制動面４２ａが床面Ｆ等の支持面から離間することでベース４の前方移動を許容する。
【００３９】
従って、この実施例の跳上げ式机によれば、机の使用時に甲板１を使用位置へ回動させると、脚フレーム５のベース４の後端部に設けられた滑り止め８が床面Ｆ等の支持面に着いて制動するのと併せて、ベース４の中間部に支持された前方滑り止め４０の制動面４２ａがその床面Ｆ等の支持面に強く密接してベース４の前方移動を規制するので、机の使用中に机が前方へずれるのを確実に防止することができる。
【００４０】
以上、図示例に基づき説明したが、この発明は上述の例に限定されるものでなく、例えば、上記実施例の机は複数人が並んで使用できるタイプのものであるがこの発明の机は個席タイプのものでもよい。また、後キャスタは甲板と連動しないものでもよく、一方、甲板と後キャスタを連動させる伝動機構はリンク機構以外の例えばカム機構や歯車機構等でもよい。さらに、前方滑り止めの解放時にその落下揺動を助けるバネを設けてもよい。
【図面の簡単な説明】
【図１】この発明の跳上げ式机の一実施例の、図２のＡ−Ａ線に沿う拡大断面図である。
【図２】甲板が使用位置にある状態での上記実施例の跳上げ式机の正面図である。
【図３】甲板が使用位置にある状態での上記実施例の跳上げ式机の平面図である。
【図４】甲板が使用位置にある状態での上記実施例の跳上げ式机の側面図である。
【図５】甲板が跳上げ位置にある状態での上記実施例の跳上げ式机の、図１と同じ断面位置での断面図である。
【図６】上記実施例の跳上げ式机の重ね合わせ整理時の状態を示す側面図である。
【図７】この発明の跳上げ式机の他の一実施例の、先の実施例の図１に対応する拡大断面図である。
【図８】（ａ），（ｂ）は、上記実施例の跳上げ式机が具える前方滑り止めを示す斜視図および側面図である。
【図９】上記実施例の跳上げ式机の、先の実施例の図５に対応する断面図である。
【符号の説明】
１　甲板
２　脚
３　貫材
４　ベース
５　脚フレーム
６　甲板支持板
６ａ，６ｂ　凹部
６ｃ　当接部
７　ストッパ部
８　滑り止め
９　前キャスタ
１０　後キャスタ
１１，２４　ブラケット
１２　カバー
１３　支持軸
１４　レバー
１５　揺動部材
１６，２１　クランク
１７，２７　連結軸
１８　ロックピン
１９　ロック機構
２０　リンク機構
２２　支持アーム
２３，２５，２９　ピン
２４ａ　ガイド長孔
２６，３０，３１　リンク部材
２８　連結ロッド
３２　幕板
４０　前方滑り止め
４１　揺動脚
４１ａ　支持部
４１ｂ　支持孔
４１ｃ　駆動孔
４２　脚先
４２ａ　制動面
Ｆ　床面
【図１】
2004089681.tif 000003
【図２】
2004089681.tif 000004
【図３】
2004089681.tif 000005
【図４】
2004089681.tif 000006
【図５】
2004089681.tif 000007
【図６】
2004089681.tif 000008
【図７】
2004089681.tif 000009
【図８】
2004089681.tif 000010
【図９】
2004089681.tif 000011